(57)【要約】【課題】    容量を減少させることなく、泥溜めバスケットの浮き上がりを防止出来る雨水桝構造を提供する。【解決手段】  泥溜め部６内には、泥溜めバスケット１４が挿脱自在となるように収納されていて、円筒状有底形状を呈するバスケット本体１５に、金属製棒状の把手部材１６が設けられている。    すなわち、バスケット本体１５の上部開口１５ａで対向する側壁部上端近傍に、一対のアーム取付部としてのアーム挿通孔部１５ｂ，１５ｂが設けられて、各々のアーム挿通孔部１５ｂ，１５ｂには、把手部材１６から延設される一対の各アーム部１６ａ，１６ａのＬ字状先端部１６ｂ，１６ｂが、外側から内側に向けて挿通係止されている。【選択図】図１
2006283358.tif 000002
【特許請求の範囲】
【請求項１】
上面を開口すると共に、側面壁部に流入口及び流出口を開口形成し、かつ下部に外周面を上方に向けて漸次大径とする円筒状有底形状を呈する泥溜め部を有する雨水桝本体と、該雨水桝本体の前記泥溜め部に挿脱自在となるように収納される円筒状有底形状を呈するバスケット本体に把手部材が設けられてなる泥溜めバスケットとを有する雨水桝構造であって、
前記泥溜めバスケットには、前記バスケット本体の上部開口で対向する側壁部上端近傍に、一対のアーム取付部を設けて、該各々のアーム取付部に、前記把手部材から延設される一対の各アーム部先端部を外側から内側に向けて挿通係止すると共に、前記バスケット本体の収納状態では、該各アーム部の外側縁が、前記雨水桝本体の側面壁部内側面に摺接されることを特徴とする雨水桝構造。
【請求項２】
前記各アーム部の外側縁間の寸法距離を、前記雨水桝本体の側面壁部内側面間の寸法距離よりも大きく設定することを特徴とする請求項１記載の雨水桝構造。
【請求項３】
前記把手部材の前記各アーム部を連結する把持部には、該アーム部間略中央に、取外しフックを係止するフック係止凹部が形成されていることを特徴とする請求項１又は２記載の雨水桝構造。
【請求項４】
前記バスケット本体の上部開口には、一対のアーム取付部間上縁部に、湾曲凹部が形成されていることを特徴とする請求項１乃至３の何れか一項記載の雨水桝構造。
【請求項５】
雨水桝本体の側面壁部内側面には、前記バスケット本体の収納状態で、該バスケット本体の上部開口上端縁よりも上方で、内部空間に露出する目印溝部が凹設形成されていることを特徴とする請求項１乃至４の何れか一項記載の雨水桝構造。
【発明の詳細な説明】
【技術分野】
【０００１】
この発明は、建物の雨樋、雨水管若しくは地表からの雨水を流入させる雨水桝構造に関するものである。
【背景技術】
【０００２】
従来、地中に埋設されて、建物の雨樋、雨水管若しくは地表からの雨水を流入させる雨水桝構造が知られている（例えば、特許文献１参照）。
【０００３】
まず、構成から説明すると、この従来の雨水桝構造では、図４に示すように、雨水桝本体１が、上面２を、蓋体２ａで開閉塞可能に開口させると共に、側面壁部３に流入口４及び流出口５が開口形成されて、かつ下部に外周面を上方に向けて漸次大径とする円筒状有底形状を呈する泥溜め部６が設けられて主に構成されている。
【０００４】
また、この泥溜め部６内には、円筒状有底形状を呈するバスケット本体７に、把手部材８が設けられてなる樹脂製泥溜めバスケット９が挿脱自在となるように収納されている。
【０００５】
更に、この樹脂製泥溜めバスケット９には、左右一対の突起部７ａ，７ａが形成されていて、収納状態で、この突起部７ａ，７ａの外側面が、各々雨水桝本体１の側面壁部３に当接されるように構成されている。
【０００６】
次に、この従来の雨水桝構造の作用について説明する。
【０００７】
このように構成された従来の雨水桝構造では、突起部７ａ，７ａの外側面が、各々雨水桝本体１の側面壁部３に当接されている。
【０００８】
このため、前記泥溜め部６に雨水が溜まっても、軽量の樹脂製泥溜めバスケット９の浮き上がりが防止されると共に、バスケットの浮き上がりにより樹脂製泥溜めバスケット９が、前記流入口４又は流出口５を閉塞することがない。
【０００９】
なお、バスケット本体７の底面部に、泥溜め部６内の雨水のバスケット本体７内への流入のみを許容する逆止弁が設けられたものも知られている（例えば、特許文献２参照）。
【特許文献１】特開平９−４１４７４号公報
【特許文献２】実開平７−２５０８６号公報
【発明の開示】
【発明が解決しようとする課題】
【００１０】
しかしながら、このような従来の雨水桝構造では、金属製の把手部８の両先端が、バスケット本体７の側面部の内側から外側に向けて挿通されて、前記突起部７ａ，７ａ近傍に露出されている。
【００１１】
このため、突起部７ａ，７ａの摩耗も考慮して、把手部８の両先端よりも更に、外側方向へ突設させて、これらの突起部７ａ，７ａの外側面位置を設定しなければならない。
【００１２】
したがって、相対的に、バスケット本体７の内径寸法は減少して、容量が減少してしまうといった問題があった。
【００１３】
また、突起部７ａ，７ａの突設量が増大すると、前記雨水桝本体１の側面壁部３と、バ
スケット本体７の外側面との隙間量が増大して、雨水又は泥水が、バスケット本体を通らずに泥溜め部６内に浸入しやすくなるといった問題もあった。
【００１４】
そこで、この発明は、容量を減少させることなく、泥溜めバスケットの浮き上がりを防止出来る雨水桝構造を提供することを課題としている。
【課題を解決するための手段】
【００１５】
上記目的を達成するために、請求項１に記載された発明は、上面を開口すると共に、側面壁部に流入口及び流出口を開口形成し、かつ下部に外周面を上方に向けて漸次大径とする円筒状有底形状を呈する泥溜め部を有する雨水桝本体と、該雨水桝本体の前記泥溜め部に挿脱自在となるように収納される円筒状有底形状を呈するバスケット本体に把手部材が設けられてなる泥溜めバスケットとを有する雨水桝構造であって、前記泥溜めバスケットには、前記バスケット本体の上部開口で対向する側壁部上端近傍に、一対のアーム取付部を設けて、該各々のアーム取付部に、前記把手部材から延設される一対の各アーム部先端部を外側から内側に向けて挿通係止すると共に、前記バスケット本体の収納状態では、該各アーム部の外側縁が、前記雨水桝本体の側面壁部内側面に摺接される雨水桝構造を特徴としている。
【００１６】
また、請求項２に記載されたものは、前記各アーム部の外側縁間の寸法距離を、前記雨水桝本体の側面壁部内側面間の寸法距離よりも大きく設定する請求項１記載の雨水桝構造を特徴としている。
【００１７】
更に、請求項３に記載されたものは、前記把手部材の前記各アーム部を連結する把持部には、該アーム部間略中央に、取外しフックを係止するフック係止凹部が形成されている請求項１又は２記載の雨水桝構造を特徴としている。
【００１８】
そして、請求項４に記載されたものは、前記バスケット本体の上部開口には、一対のアーム取付部間上縁部に、湾曲凹部が形成されている請求項１乃至３の何れか一項記載の雨水桝構造を特徴としている。
【００１９】
また、請求項５に記載されたものは、雨水桝本体の側面壁部内側面には、前記バスケット本体の収納状態で、該バスケット本体の上部開口上端縁よりも上方で、内部空間に露出する目印溝部が凹設形成されている請求項１乃至４の何れか一項記載の雨水桝構造を特徴としている。
【発明の効果】
【００２０】
このように構成された請求項１記載のものは、前記バスケット本体の収納状態では、該各アーム部の外側縁が、前記雨水桝本体の側面壁部内側面に摺接される。
【００２１】
このため、アーム部の外側縁が、従来の突起部に比して、上，下方向に長い距離で、該側面壁部内側面に接触するので、必要となる摩擦面積を容易に得られて、前記泥溜めバスケットの浮き上がりが防止される。
【００２２】
また、前記把手部材のアーム部を金属製材料で構成すれば、摩耗の虞も無いと共に、各アーム部の先端が、前記バスケット本体の側壁部上端近傍に形成されたアーム取付部に、取付部外側から内側に向けて挿通係止されるので、該先端で、雨水桝本体の側面壁部内側面を擦過等、損傷させる虞も減少する。
【００２３】
しかも、該アーム部の水平断面寸法のみ、前記バスケット本体の内径寸法を減少させるように設定すればよいので、該バスケット本体の容積の減少を抑制できる。
【００２４】
また、請求項２に記載されたものは、前記各アーム部の外側縁間の寸法距離が、前記雨水桝本体の側面壁部内側面間の寸法距離よりも大きく設定されている。
【００２５】
このため、前記泥溜めバスケットが、雨水桝本体の前記泥溜め部に収納される際の前記アーム部間の撓みによる弾性反力によって、前記側面壁部内側面に押圧される。
【００２６】
更に、前記アーム部が、前記バスケット本体の側壁部上端近傍の取付部外側に位置するので、該バスケット本体の対向位置にある側壁部間の撓みによる弾性反力も加わって、前記側面壁部内側面に、アーム部の外側面が押圧される。
【００２７】
従って、更に、強い力で、押圧されるので、前記泥溜めバスケットの浮き上がりが防止される。
【００２８】
更に、請求項３に記載されたものは、前記把手部材の前記各アーム部を連結する把持部に形成されたフック係止凹部が、該アーム部間略中央で、取外しフックを係止する。
【００２９】
このため、該取り外しフックによる引き上げ力が、アーム部間の距離を狭めるように作用して、前記側面壁部内側面から、前記アーム部の外側面を離間させて、引き抜き易くすることができる。
【００３０】
そして、請求項４に記載されたものは、前記バスケット本体の上部開口には、一対のアーム取付部間上縁部に、湾曲凹部が形成されている。  
【００３１】
このため、上部開口部は、径内外方向へ変形しやすく、更に泥溜めバスケットを、泥溜め部内から抜き出しやすい。
【００３２】
更に、請求項５に記載されたものは、雨水桝本体の側面壁部内側面に凹設形成された目印溝部によって、前記バスケット本体が、適切な収納位置に収まっているか否かを、雨水桝本体の上方から視認出来る。
【発明を実施するための最良の形態】
【００３３】
以下、本発明の実施の形態１について、図面を参照しつつ説明する。
【００３４】
図１及び図２は、この発明の最良の実施の形態の雨水桝構造を示すものである。
【００３５】
まず、構成から説明すると、この実施の形態の雨水桝構造では、雨水桝本体１１が、合成樹脂製材料で構成されていて、図示省略の蓋体で開閉塞可能となるように上面２を開口させると共に、側面壁部１３に流入口４及び流出口５が開口形成されている。
【００３６】
また、この雨水桝本体１１の下部には、外周面を上方に向けて漸次大径とする円筒状有底形状を呈する泥溜め部６が一体に設けられている。
【００３７】
そして、この泥溜め部６内には、樹脂製泥溜めバスケット１４が挿脱自在となるように収納されている。
【００３８】
この樹脂製泥溜めバスケット１４は、円筒状有底形状を呈するバスケット本体１５に、金属製棒状の把手部材１６が設けられて主に構成されている。  
【００３９】
このバスケット本体１５の上部開口１５ａで対向する側壁部上端近傍に、一対のアーム
取付部としてのアーム挿通孔部１５ｂ，１５ｂが設けられている。
【００４０】
そして、各々のアーム挿通孔部１５ｂ，１５ｂには、前記把手部材１６から延設される一対の各アーム部１６ａ，１６ａのＬ字状先端部１６ｂ，１６ｂが、外側から内側に向けて挿通係止されている。
【００４１】
更に、図１に示す前記バスケット本体１５が、前記雨水桝本体１１内に収納された状態では、各アーム部１６ａ，１６ａの外側縁が、前記雨水桝本体１１の側面壁部１３内側面に摺接されて、前記泥溜め部６内に沈殿した泥等によっても容易に浮き上がらないように構成されている。
【００４２】
また、この実施の形態では、前記各アーム部１６ａ，１６ａの外側縁１６ｃ，１６ｃ間の寸法距離Ｗ１（この実施の形態では、Ｗ１＝約２０７ｍｍ）が、前記雨水桝本体１１の側面壁部１３内側面間の寸法距離Ｗ２（この実施の形態では、Ｗ２＝約２００ｍｍ）よりも大きく設定されている。
【００４３】
更に、この実施の形態では、前記把手部材１６の前記各アーム部１６ａ，１６ａ間を連結する把持部としての山型把持部１６ｄには、アーム部間略中央に、取外しフック１７が係止されるフック係止凹部１６ｅが形成されている。この実施の形態では、フック係止凹部１６ｅの両側に位置する山型把持部１６ｄの屈曲角度が、約１２０度〜１５０度を有して、左，右対称となるように構成されている。
【００４４】
また、前記バスケット本体１５の上部開口１５ａには、一対のアーム連通孔部１５ｂ，１５ｂ間に位置する上縁部に沿って、下側に凸状の円滑な２つの半月状円弧によって構成される湾曲凹部１５ａ，１５ａが形成されていて、最も高い一対の対向面部に、前記アーム挿通孔部１５ｂ，１５ｂが設けられている。
【００４５】
この実施の形態では、更に、前記バスケット本体１５の上部開口１５ａ上縁部に補強用のフランジ部等が形成されておらず、バスケット本体１５下方の側壁部の厚さと略同じ厚さで、上部開口１５ａ周縁まで側壁部が延在されて構成されている。
【００４６】
更に、この実施の形態では、前記雨水桝本体１１の側面壁部１３内側面には、前記バスケット本体１５の収納状態で、このバスケット本体１５の上部開口１５ａ上端縁よりも上方で、雨水桝本体１１内部空間に露出する目印溝部１８が、リング状を呈して凹設形成されている。
【００４７】
次に、この実施の形態の雨水桝構造の作用について説明する。
【００４８】
この実施の形態の雨水桝構造では、図１に示すように、前記樹脂製泥溜めバスケット１４を、前記雨水桝本体１１内に上方から挿入して収納させる。
【００４９】
前記バスケット本体１５が収納された状態では、各アーム部１６ａ，１６ａの外側縁１６ｃ，１６ｃが、前記雨水桝本体１１の側面壁部１３内側面に摺接される。
【００５０】
このため、アーム部１６ａ，１６ａの外側縁１６ｃ，１６ｃが、前記流入口４及び流出口５下縁位置から前記泥溜め部６に至るまで、従来の突起部７ａ，７ａに比して、上，下方向に長い距離で、側面壁部１３内側面に接触するので、必要となる摩擦面積を容易に得られて、前記樹脂製泥溜めバスケット１４の浮き上がりが防止される。
【００５１】
また、前記把手部材１６のアーム部１６ａ，１６ａが、山型把持部１６ｄと共に、金属
製材料で、一体に構成されているので、前記側面壁部１３内側面に摺接されても、摩耗の虞が無い。
【００５２】
しかも、各アーム部１６ａ，１６ａの先端が、前記バスケット本体１５の側壁部上端近傍に形成されたアーム挿通孔部１５ｂ，１５ｂに、取付部外側から内側に向けて挿通係止されている。
【００５３】
このため、各アーム部１６ａ，１６ａの先端は、バスケット本体１５の内側に向くので、雨水桝本体１１の側面壁部１３内側面を擦過等、損傷させる虞も減少する。
【００５４】
しかも、図３に示すように、アーム部１６ａ，１６ａの水平断面寸法のみ、前記バスケット本体１５の内径寸法を減少させるように設定すればよいので、バスケット本体１５の容積の減少を抑制できる。
【００５５】
また、図２に示すように、前記各アーム部１６ａ，１６ａの外側縁１６ｃ，１６ｃ間の寸法距離Ｗ１が、前記雨水桝本体１１の側面壁部１３内側面間の寸法距離Ｗ２よりも大きく設定されている。
【００５６】
このため、前記樹脂製泥溜めバスケット１４が、雨水桝本体１１の前記泥溜め部６内に収納される際の前記アーム部１６ａ，１６ａ間の撓みによる弾性反力によって、前記側面壁部１３内側面に各々拡開方向へ向けて押圧される。
【００５７】
更に、前記アーム部１６ａ，１６ａが、前記バスケット本体１５の側壁部上端近傍のアーム挿通孔部１５ｂ，１５ｂ外側に各々位置するので、バスケット本体１５の対向位置にある側壁部間の内側方向への撓みによる弾性反力も加わって、前記側面壁部１３内側面に、アーム部１６ａ，１６ａの外側面１６ｃ，１６ｃが押圧される。
【００５８】
従って、更に、強い力で、押圧されるので、前記樹脂製泥溜めバスケット１４の浮き上がりが、確実に防止される。
【００５９】
更に、前記把手部材１６の前記各アーム部１６ａ，１６ａを連結する山型把持部１６ｄに形成されたフック係止凹部１６ｅが、アーム部１６ａ，１６ａ間略中央で、取外しフック１７を係止する。
【００６０】
このため、取り外しフック１７による引き上げ力が、アーム部１６ａ，１６ａ間の距離を狭めるように作用して、前記側面壁部１３内側面から、前記アーム部１６ａ，１６ａの外側面１６ｃ，１６ｃを離間させて、引き抜き易くすることができる。
【００６１】
そして、前記バスケット本体１５の上部開口１５ａには、一対のアーム挿通孔部１５ｂ，１５ｂ間上縁部に、湾曲凹部１５ｃ，１５ｃが形成されている。  
【００６２】
このため、上部開口部１５ａは、径内外方向へ変形しやすく、更に、樹脂製泥溜めバスケット１４を、泥溜め部６内から抜き出しやすい。
【００６３】
更に、雨水桝本体１１の側面壁部１３内側面に凹設形成された目印溝部１８によって、前記バスケット本体１５が、適切な収納位置に収まっているか否かを、雨水桝本体１１の上方から視認出来る。
【００６４】
また、この実施の形態では、図３中実線で示すように、バスケット本体１５が、雨水桝本体１１の泥溜め部６内に収納された状態では、前記アーム部１６ａ，１６ａの外側面１
６ｃ，１６ｃが、側面壁部１３内側面に摺接することにより、白抜き矢印方向へ撓み変形する。
【００６５】
このため、湾曲凹部１５ｃ，１５ｃが形成される上部開口１５ａ周縁は、前記側面壁部１３内側面に近接して、バスケット本体１５の外側面と、側面壁部１３内側面との隙間量を減少させる。
【００６６】
従って、雨水又は泥水が、泥溜め部６内に浸入しにくくなり、更に、バスケット本体１５を浮き上がりにくくすることが出来、例えば、逆止弁等を設ける複雑な構成を採用しなくても、簡便な構成で、容量を減少させることなく、樹脂製泥溜めバスケット１４の浮き上がりが防止出来る。
【００６７】
以上、図面を参照して、本発明の実施の形態を詳述してきたが、具体的な構成は、この実施の形態に限らず、本発明の要旨を逸脱しない程度の設計的変更は、本発明に含まれる。
【００６８】
即ち、前記実施例１の雨水桝構造では、前記雨水桝本体１１が、前記泥溜め部６と共に、合成樹脂製材料で構成されているが、特にこれに限らず、コンクリート製等、どのような材料で構成されていても、円筒状有底形状を呈する泥溜め部を有するものであるならば、形状、数量及び材質が特に限定されるものではない。
【００６９】
また、泥溜めバスケットとして、合成樹脂材料製の樹脂製泥溜めバスケット１４を示して説明して来たが、特にこれに限らず、例えば、ステンレス製等、どのような材質で構成される泥溜めバスケットであってもよい。
【００７０】
更に、前記雨水桝本体１１を有する雨水桝に限らず、例えば、前記泥溜め部６に雨水浸透用孔を複数開口形成する雨水浸透桝にも本発明が適用されうる。
【図面の簡単な説明】
【００７１】
【図１】この発明の最良の実施の形態の雨水桝構造で、全体の構成を説明する縦断面図である。
【図２】実施の形態の雨水桝構造で、雨水桝本体からバスケット本体を引き抜く様子を説明する縦断面図である。
【図３】実施の形態の雨水桝構造で、バスケット本体の撓み変形を説明し、実線は収納状態、二点鎖線は、収納されていない状態を示す水平断面図である。
【図４】従来例の雨水桝本体で、構成を説明する縦断面図である。
【符号の説明】
【００７２】
２              上面
６              泥溜め部
１１            雨水桝本体
１３            側面壁部
１４            樹脂製泥溜めバスケット（泥溜めバスケット）
１５            バスケット本体
１５ａ          上部開口
１５ｂ          アーム挿通孔部（アーム取付部）
１６            把手部材
１６ａ，１６ａ  アーム部
１６ｂ，１６ｂ  Ｌ字状先端部（先端部）
１６ｃ，１６ｃ  外側縁
１６ｄ          山型把持部
１６ｅ          フック係止凹部
１８            目印溝部
【図１】
2006283358.tif 000003
【図２】
2006283358.tif 000004
【図３】
2006283358.tif 000005
【図４】
2006283358.tif 000006